(57)【特許請求の範囲】
【請求項１】
内容物を充てん・収容する容器本体と、この容器本体に合わさりその内外を隔絶する蓋体とを備えたコンパクト容器であって、
容器本体と蓋体との合わせ面に、それらと一体的に形成される気密部分を備え、
該気密部分は、容器本体又は蓋体に形成され、環状空間を形成する内外二重の環状壁と、前記容器本体に該内外二重の環状壁が設けられた場合には蓋体に設けられ、前記蓋体に該環状壁が設けられた場合には容器本体に設けられ、前記環状空間に入り込むとともに前記内外二重の環状壁のうちの何れか一方を両側から挟み込む一対の挟持壁からなり、
前記内外二重の環状壁のうち、前記一対の挟持壁によって挟み込まれている環状壁を除く環状壁に前記蓋体又は容器本体に設けられた係合突起に係合して前記蓋体の意に反する開放を阻止する係合突起を設けた、ことを特徴とするコンパクト容器。
【請求項２】
容器本体及び蓋体は、板状の主ヒンジとそれを両側から挟むスプリングヒンジからなる連結手段にて一体的に連結したものである、請求項１記載のコンパクト容器。
【請求項３】
コンパクト容器は、コンパクト容器の本体内に収容、装填されるレフィル容器として使用できるものである、請求項１又は２記載のコンパクト容器。
【発明の詳細な説明】
【０００１】
【発明の属する技術分野】
本発明は、ファンデーションを充てん・収容するのに好適なコンパクト容器に関し、該容器自体のサイズの小型化・薄型化を図るとともに、長期にわたり高気密を維持しようとするものである。
以下、かかる容器はコンパクト容器の本体内に収容、装填されるレフィル容器として使用することも可能であり、ここではレフィル容器に適用する場合について説明する。
【０００２】
【従来の技術】
ファンデーションの中でも、とくに揮発性の高いものや水分を比較的多く含むものは、その揮発分や水分の蒸散を避けるため、レフィル容器本体とは別体になる蓋付きの容器に充てん・収容されるのが普通であって、容器の気密性を高めるため、該容器本体と蓋の相互間にはゴム系のパッキンや発泡パッキン等のシール部材が組み込まれた複数パーツにて構成されている。
【０００３】
【発明が解決しようとする課題】
ところで、この種のレフィル容器は、コンパクト容器の中に収容、装填して使用するのが普通であるところ、複数のパーツで構成された容器は、サイズの大型化が避けられず、これに伴い、コンパクトのサイズも大きくなる不具合がある。また、レフィル容器は蓋の開閉頻度が非常に多いにもかかわらず、内容物を使いきるまでにパッキンが傷んでしまうとこもあって、その場合には、内容物の品質を保持するのは難しい。
【０００４】
本発明の課題は、１パーツによる構成にて容器自体の小型化、薄型化を図るとともに、高い気密を長期間にわたり保持できる新規なコンパクト容器を提案するところにある。
【０００５】
【課題を解決するための手段】
本発明は、内容物を充てん・収容する容器本体と、この容器本体に合わさりその内外を隔絶する蓋体とを備えたコンパクト容器であって、
容器本体と蓋体との合わせ面に、それらと一体的に形成される気密部分を備え、
該気密部分は、容器本体又は蓋体に形成され、環状空間を形成する内外二重の環状壁と、前記容器本体に該内外二重の環状壁が設けられた場合には蓋体に設けられ、前記蓋体に該環状壁が設けられた場合には容器本体に設けられ、前記環状空間に入り込むとともに前記内外二重の環状壁のうちの何れか一方を両側から挟み込む一対の挟持壁からなり、
前記内外二重の環状壁のうち、前記一対の挟持壁によって挟み込まれている環状壁を除く環状壁に前記蓋体又は容器本体に設けられた係合突起に係合して前記蓋体の意に反する開放を阻止する係合突起を設けた、ことを特徴とするコンパクト容器である。
【０００６】
上記の構成になるコンパクト容器において、容器本体と蓋体は、板状の主ヒンジとそれを両側から挟むスプリングヒンジからなる連結手段にて一体的に連結するのが好ましく、また、コンパクト容器はコンパクト容器の本体内に収容、装填されるレフィル容器として使用するようにしてもよい。
【０００７】
【発明の実施の形態】
以下、図面を参照して本発明をより具体的に説明する。
図１は本発明に従うコンパクト容器において、蓋を開とした状態における外観を示したものであり、図２は蓋を閉とした状態における側面を、また、図３（ａ）（ｂ）は蓋を開とした状態における平面をそれぞれ示したものである。図中１は、ファンデーションを充てん・収容するための容器本体、２は容器本体１に合わさり容器内外を隔絶する蓋体であって、この蓋体２と容器本体１とは、連結手段３にて一体的に連結している。
【０００８】
連結手段３は、板状の主ヒンジ３ａとその主ヒンジ３ａを両側から挟むスプリングヒンジ３ｂからなっていて、蓋体２の開閉は主として主ヒンジ３ａが行うが、図４に示すように、スプリングヒンジ３ｂの弾性力によって閉状態から第１開放状態（図Ａ位置）及び第２開放状態（図中Ｂ位置）へと蓋体２の簡便な動作を導くことができるようになっている。換言すれば、第１開放状態、第２開放状態は蓋体２の安定位置になる。
【０００９】
また、４は容器本体１と蓋体２との合わせ面においてそれぞれ一体的に形成される気密部分である。この気密部分４は、容器の断面を図５に示す如く、容器本体１で環状空間Ｋを形成する内外２重の環状壁４ａ、４ｂと、蓋体２から環状空間Ｋに向けて入りこむとともに該環状壁４ｂをその全域（全周）において両側から挟み込む挟持壁４ｃ、４ｄからなる。この例では、環状壁４ａ、４ｂは容器本体１に、また、挟持壁４ｃ、４ｄは蓋体２に一体形成した例で示したが、これらはその反対、すなわち、環状壁４ａ、４ｂが蓋体２に、挟持壁４ｃ、４ｄが容器本体１にそれぞれ一体形成されていてもよい。ここに、環状壁４ａ、４ｂは図５に示したように、必ずしも二重とする必要はなく、そのうちの、例えば環状壁４ａを局所的に設けることもできる。
【００１０】
また、５ａ、５ｂは容器本体１の環状壁４ａの外周面と蓋体２の周壁の内周面にそれぞれ形成された環状の例で示した係合突起（局所的なものでもよい。）であって、この係合突起５ａ、５ｂは容器本体１を蓋体２にて密閉させた際に、互いに係合して蓋体２の意に反する開放を抑制する役目を有する。
【００１１】
上記の構成になる容器は、全てが一体成形された、単一の素材にて構成できるものであり、部品点数が少なくサイズの小型化・薄型化が可能であり、しかも気密性は極めて高い。また、気密部分４と係合突起５ａ、５ｂは単一の素材においてそれぞれ独立して設けられているため、それぞれの部分につき、その機能が保持されていればよく、容器の製造工程等における管理の簡便化を図ることができる。
【００１２】
図６は、本発明に従う容器をレフィル容器としてコンパクト容器の中に収めた状態を示したものである。図において番号６はコンパクト容器である。かかるレフィル容器は上記の如くサイズの小型化・薄型化が可能なので、これを収納するコンパクト容器６についてもサイズは必要最小限に留めることができる。
【００１３】
本発明の容器は、ポリプロピレンやポリエチレン等の熱可塑性樹脂をインジェクション成形等によって一体成形できるが、本発明はこのような樹脂に限定されることはなく、容器本体１と蓋体２との相互間に配置される気密部分４にてシール性を高めることができるものであれば金属製のものであってもかまわず、種々の材質になるものが適用できる。
【００１４】
【発明の効果】
本発明によれば、コンパクト容器を単一の部材にて構成することができるので容器自体のサイズの小型化・薄型化が可能でレフィル容器として使用した場合にコンパクト容器のサイズも必要最小限に留めることができ、また、容器本体と蓋体の相互間にそれぞれにおいて一体成形になる気密部分を介在させているので気密性も非常に高く、しかも長期にわたってその気密性が維持される。
【図面の簡単な説明】
【図１】  本発明に従うコンパクト容器の外観を示した図である。
【図２】  本発明に従うコンパクト容器の側面を示した図である。
【図３】  （ａ）は本発明に従うコンパクト容器の平面を示した図であり、（ｂ）は連結手段をＩ−Ｉ断面につき拡大して示した図である。
【図４】  本発明に従うコンパクト容器の蓋体の開閉状態の説明図である。
【図５】  本発明に従うコンパクト容器の断面を示した図である。
【図６】  本発明に従う容器をレフィル容器としてコンパクト容器に収納した状態を示した断面図である。
【符号の説明】
１  容器本体
２  蓋
３  連結手段
４  気密部分
５ａ  係合突起
５ｂ  係合突起
６  コンパクト容器
【図１】
0004636652.tif 000002
【図２】
0004636652.tif 000003
【図３】
0004636652.tif 000004
【図４】
0004636652.tif 000005
【図５】
0004636652.tif 000006
【図６】
0004636652.tif 000007